(57)【要約】【課題】替刃の交換作業を常に確実に行なうことが可能な替刃式農耕具を提供する。【解決手段】この考案では、嵌合突起２２が複数個形成されており、ボルト２４とボルト挿通用の孔２８との間に生じる隙間が、各嵌合突起２２と嵌合孔３０との間に生じる隙間よりも大きく設定されているので、替刃式農耕具１０の使用時において替刃１６に過大な衝撃力が加わったとしても、この衝撃力は嵌合突起２２によって直接受け止められることとなり、ボルト２４に過大な衝撃力が直接加わることはない。したがって、ボルト２４のネジ山が潰れることはなく、替刃１６の交換作業を常に確実に行なうことが可能となる。【選択図】図２
0003127320.tif 000002
【実用新案登録請求の範囲】
【請求項１】
柄と、前記柄の先端に固定された金属製の替刃取付部材と、前記替刃取付部材に着脱可能に取り付けられる金属製の替刃とを備え、
前記替刃取付部材の替刃取付面には、嵌合突起と螺子孔とが形成されており、
前記替刃には、前記嵌合突起を嵌合固定するための嵌合孔ならびにボルト挿通用の孔が、前記嵌合突起ならびに前記螺子孔と対応する位置にそれぞれ設けられており、
前記ボルト挿通用の孔に挿通されたボルトの先端を前記螺子孔に螺合することによって前記替刃と前記替刃取付部材とが固定されている替刃式農耕具であって、
前記嵌合突起は複数個形成されており、前記ボルトと前記ボルト挿通用の孔との間に生じる隙間が前記各嵌合突起と前記嵌合孔との間に生じる隙間よりも大きいことを特徴とする替刃式農耕具。
【請求項２】
柄と、前記柄の先端に固定された金属製の替刃取付部材と、前記替刃取付部材に着脱可能に取り付けられる金属製の替刃とを備え、
前記替刃取付部材の替刃取付面には、嵌合突起とボルト挿通用の孔とが形成されており、
前記替刃には、前記嵌合突起を嵌合固定するための嵌合孔ならびにボルト挿通用の孔が、前記嵌合突起ならびに前記ボルト挿通用の孔と対応する位置にそれぞれ設けられており、
前記替刃に形成されているボルト挿通用の孔および前記替刃取付部材に形成されているボルト挿通用の孔に挿通されたボルトの先端にナットを螺合することによって前記替刃と前記替刃取付部材とが固定されている替刃式農耕具であって、
前記嵌合突起は複数個形成されており、前記ボルトと前記ボルト挿通用の孔との間に生じる隙間が前記嵌合突起と前記嵌合孔との間に生じる隙間よりも大きいことを特徴とする替刃式農耕具。
【請求項３】
前記替刃取付面には、２個の前記嵌合突起が前記螺子孔を挟んで形成されていることを特徴とする請求項１または２に記載の替刃式農耕具。
【請求項４】
前記替刃取付面には、３個の前記嵌合突起が形成されており、
前記３つの嵌合突起を頂点とする三角形の内側に前記螺子孔が形成されていることを特徴とする請求項１または２に記載の替刃式農耕具。
【考案の詳細な説明】
【技術分野】
【０００１】
本考案は、替刃式農耕具の改良に関する。
【背景技術】
【０００２】
この種の替刃式農耕具の一例が実開平７−７３１２号公報（特許文献１）に開示されている。この従来の替刃式農耕具は、柄と、柄の先端に固定された金属製の替刃取付部材（軸）と、前記替刃取付部材に着脱可能に取り付けられる金属製の替刃とを備えている。
【０００３】
替刃取付部材には、ボルト挿通用の孔と嵌合突起とが形成されており、替刃には、ボルト挿通用の孔と前記嵌合突起を嵌合固定するための嵌合孔とが形成されている。
【０００４】
従来の替刃式農耕具を組み立てる際には、替刃を替刃取付部材に対して位置決めし、嵌合孔に嵌合突起を嵌合させる。そして、ボルトをボルト挿通用の孔に挿通し、孔から突出したボルトの先端にスリーブナットを螺合することにより、替刃取付部材に対して替刃が固定される。
【特許文献１】実開平７−７３１２号公報
【考案の開示】
【考案が解決しようとする課題】
【０００５】
従来技術では、替刃と替刃取付け部材とが、ボルトと嵌合突起との２点支持により固定されているため、替刃式農耕具を振り下ろす等して替刃に過大な衝撃が加わると、この衝撃力がボルトに直接加わり、ボルトのネジ山を潰してしまうおそれがあった。そして、ボルトのネジ山が潰れてしまうと、ひどい場合にはボルトの螺脱作業を行うことができず、替刃の交換ができなくなってしまう。
【０００６】
本願考案は、かかる従来の問題点に鑑みてなされたものであり、替刃の交換作業を常に確実に行なうことが可能な替刃式農耕具を提供することである。
【課題を解決するための手段】
【０００７】
請求項１に記載した考案は、「柄１２と、柄１２の先端に固定された金属製の替刃取付部材１４と、替刃取付部材１４に着脱可能に取り付けられる金属製の替刃１６とを備え、替刃取付部材１４の替刃取付面１８ａには、嵌合突起２２と螺子孔２６とが設けられており、替刃１６には、嵌合突起２２を嵌合固定するための嵌合孔３０ならびにボルト挿通用の孔２８が、嵌合突起２２ならびに螺子孔２６と対応する位置にそれぞれ設けられており、ボルト挿通用の孔２８に挿通されたボルト２４の先端を螺子孔２６に螺合することによって替刃１６と替刃取付部材１４とが固定されている替刃式農耕具１０であって、嵌合突起２２は複数個形成されており、ボルト２４とボルト挿通用の孔２８との間に生じる隙間が嵌合突起２２と嵌合孔３０との間に生じる隙間よりも大きい」ことを特徴とする替刃式農耕具１０（１０Ａ，１０Ｂ）である。
【０００８】
また、請求項２に記載の考案は、「柄１２と、柄１２の先端に固定された金属製の替刃取付部材１４と、替刃取付部材１４に着脱可能に取り付けられる金属製の替刃１６とを備え、替刃取付部材１４の替刃取付面１８ａには、嵌合突起２２とボルト挿通用の孔３４とが形成されており、替刃１６には、嵌合突起２２を嵌合固定するための嵌合孔３０ならびにボルト挿通用の孔２８が、嵌合突起２２ならびにボルト挿通用の孔３４と対応する位置にそれぞれ設けられており、替刃１６に形成されているボルト挿通用の孔２８および替刃取付部材１４に形成されているボルト挿通用の孔３４に挿通されたボルト２４の先端にナット３６を螺合することによって替刃１６と替刃取付部材１４とが固定されている替刃式農耕具１０であって、嵌合突起２２は複数個形成されており、ボルト２４とボルト挿通用の孔２８，３４との間に生じる隙間が嵌合突起２２と嵌合孔３０との間に生じる隙間よりも大きい」ことを特徴とする替刃式農耕具１０（１０Ｃ）である。
【０００９】
これらの考案では、嵌合突起２２が複数個形成されており、しかも、ボルト２４とボルト挿通用の孔２８（，３４）との間に生じる隙間が各嵌合突起２２と嵌合孔３０との間に生じる隙間よりも大きく設定されているので、替刃式農耕具１０を振り下ろす等して替刃１６に過大な衝撃力が加わったとしても、この衝撃力は、嵌合突起２２が直接受けることとなり、ボルト２４に過大な衝撃力が直接加わることはない。
【００１０】
請求項３に記載の考案は、嵌合突起２２と螺子孔２６との位置関係を具体化したものであり、「替刃取付面１８ａには、２個の嵌合突起２２が螺子孔２６を挟んで形成されている」ことを特徴とするものである。
【００１１】
また、請求項４に記載の考案は、嵌合突起２２と螺子孔２６との位置関係を具体化した他の例であり、「替刃取付面１８ａには、３個の嵌合突起２２が形成されており、３つの嵌合突起２２を頂点とする三角形の内側に螺子孔２６が形成されている」ことを特徴とするものである。
【考案の効果】
【００１２】
請求項１〜４に記載の考案によれば、ボルトに過大な衝撃力が直接加わらないので、ボルトのネジ山が潰れることはなく、替刃の交換作業を常に確実に行なうことが可能となる。
【考案を実施するための最良の形態】
【００１３】
図１は本考案に係る替刃式農耕具の第１実施例を示す斜視図であり、図２は、替刃式農耕具の分解斜視図である。
【００１４】
本考案が適用された替刃式農耕具１０（１０Ａ）は、鎌、鍬または鋤等のような作業者が手で持って操作する手作業具であり、柄１２と、替刃取付部材１４と、替刃１６とを備えている。
【００１５】
柄１２は、金属或いは木材などの高強度の材料からなる棒状部材であり、本実施例１では、軽くて丈夫なステンレス製のパイプが柄１２として用いられている。なお、柄１２の「長さ」および「太さ」は、手で持って操作するときの操作性を考慮して設定されており、柄１２の「断面形状」は、手で握るときの握り易さを考慮して設定されている。
【００１６】
替刃取付部材１４は、図２〜図４に示すように、替刃取付部１８と柄取付部２０とを有し、これらが鉄等の金属により一体的に形成されている。
【００１７】
替刃取付部１８は、替刃１６が取り付けられる部分であり、本実施例１では平面視略三角形状に形成された厚肉の板状部材により構成されている。
【００１８】
替刃取付部１８の替刃取付面１８ａ（図２における上面）は、平滑面となっており、その各コーナー部分には、嵌合突起２２がそれぞれ突設されている。つまり、本実施例１では、替刃取付面１８ａに３つの嵌合突起２２が突設されている。なお、本実施例１では、嵌合突起２２が３つ形成されているが、本考案の作用効果（すなわち、嵌合突起２２による２点支持）を奏するためには、嵌合突起２２が複数（２個以上）あればよい。
【００１９】
また、替刃取付面１８ａであって３つの嵌合突起２２を頂点とする三角形の内側には、ボルト２４を螺合するための螺子孔２６が形成されている。
【００２０】
そして、替刃取付部１８の替刃取付面１８ａとは反対側の面（図２における下面）には、柄取付部２０が延設されている。
【００２１】
柄取付部２０は、柄１２が取り付けられる部分であり、本実施例１では、その外径が柄１２の外径と略等しい棒状に形成されており、その先端部分は、柄１２の中空部分に嵌合させる必要があることから一段縮径されている。
【００２２】
なお、柄取付部２０の形状は、柄１２との取付態様に応じて適宜変更可能である。例えば、図示しないが、柄１２の先端に割溝が形成されているような場合には、柄取付部２０の先端形状が楔形とされる（この場合、柄取付部２０の先端を柄１２の割溝に差し込むことによって柄１２と替刃取付部材１４とが固定される。）。
【００２３】
替刃１６は、鋼等の高剛性材料からなる厚肉の板状部材であり、本実施例１では、平面視略二等辺三角形状に形成されている（図２参照）。替刃１６の長辺側両端部は、同一方向に折曲形成されており（図２では、下方に折り曲げられている。）、その断面形状を船底形とすることで替刃１６の強度が高められている。なお、替刃の長辺側先端部分には、焼きが入れられている。
【００２４】
替刃１６の中央部分には、ボルト２４を挿通するための孔２８ならびに嵌合突起２２を嵌合固定するための３つの嵌合孔３０が螺子孔２６ならびに嵌合突起２２と対応する位置にそれぞれ形成されている。
【００２５】
なお、嵌合孔３０の内径は、嵌合突起２２を嵌合固定する必要があることから嵌合突起２２の外形と大略等しく設定されている。一方、ボルト挿通用の孔２８は、使用時においてボルト２４と直接接触することがないよう、その内径がボルト２４の足の軸部よりも大きく設定されている。つまり、ボルト挿通用の孔２８の内径は、ボルト２４をボルト挿通用の孔２８に挿入したときに生じる隙間が、嵌合孔３０に嵌合突起２２を嵌合させたときに生じる隙間よりも大きくなるように設定されることになる。
【００２６】
替刃式農耕具１０Ａを組み立てる際には、図２に示すように、まず、替刃取付部材１４の柄取付部２０を柄１２の先端にはめ込み、両部材１２，１４を溶接などの手段により接合する。これにより、替刃取付部材１４が柄１２に対して固定される。
【００２７】
続いて、替刃１６を替刃取付部１８に対して位置決めし、嵌合孔３０内に嵌合突起２２を嵌合する。
【００２８】
そして、ワッシャ３２ならびに替刃１６の孔２８に挿通したボルト２４の先端を螺子孔２６に螺合すれば、替刃１６が替刃取付部材１４に対して固定されることになる。
【００２９】
本実施例１の替刃式農耕具１０Ａによれば、嵌合突起２２が複数個形成されており、ボルト２４をボルト挿通用の孔２８に挿入したときに生じる隙間が各嵌合突起２２を嵌合孔３０に嵌合させたときに生じる隙間よりも大きく設定されているので、替刃式農耕具１０Ａを振り下ろす等して替刃１６に過大な衝撃力が加わった場合、当該衝撃力は嵌合突起２２が直接受けることとなり、ボルト２４には、過大な衝撃力が直接加わらない。したがって、ボルト２４のネジ山が潰れてボルト２４のネジ山が潰れることはなく、替刃１６の交換作業を常に確実に行うことが可能となる。
【００３０】
なお、上述の実施例では、替刃取付部１８の替刃取付面１８ａがフラットとなっていたが、替刃取付面１８ａの形状は、替刃１６の形状に応じて適宜変更すればよい。例えば、図５および図６に示すように、替刃１６の断面形状が略Ｖ字型である場合には、替刃取付面１８ａの断面形状もこれに合わせて略Ｖ字型とされる（このとき、ワッシャー３２の替刃１６との当接面も、替刃１６の断面形状に合わせて断面略Ｖ字型とされる。）。
【００３１】
そしてこの場合、嵌合突起２２の態様としては、図５および図６に示す態様が考えられる。すなわち、嵌合突起２２の突設方向が、替刃１６の取付方向に一致している場合（図５参照）と、嵌合突起２２の突設方向が替刃取付面１８ａに対して直交する方向に一致している場合（図５参照）である。なお、いずれの場合であっても、嵌合孔３０は、嵌合突起２２が嵌合できるような形状・大きさに適宜設定される。
【００３２】
また、上述の実施例では、替刃１６の形状を略二等辺三角形状に設定しているが、例えば、図７〜図８に示す第２実施例の替刃式農耕具１０（１０Ｂ）のように替刃１６の形状を「蒲鉾形」に設定してもよいし、また、「櫛形」等に設定してもよい（図示省略）。ただし、いずれの場合でも替刃１６と替刃取付用部材１４との取付態様は、上述した構成が採用されることになる。
【００３３】
なお、図７の替刃式農耕具１０Ｂでは、２個の嵌合突起２２が螺子孔２６を挟んで横方向に並んで形成されているが、２個の嵌合突起２２を、螺子孔２６を挟んで縦方向に並ぶように形成してもよい。もちろん、嵌合突起２２を３個以上形成するようにしてもよい。
【００３４】
さらに、上述の実施例では、替刃取付部材１４に螺子孔２６を形成し、この螺子孔２６にボルト２４の先端を螺合することによって替刃１６と替刃取付部材１４とを固定するようにしているが、図９〜図１０に示す第３実施例の替刃式農耕具１０（１０Ｃ）のように、螺子孔２６の代わりにボルト挿通用の孔３４を設け、このボルト挿通用の孔３４に挿通したボルト２４の先端にナット３６を螺合し、これにより、替刃１６と替刃取付部材１４とを固定するようにしてもよい。
【図面の簡単な説明】
【００３５】
【図１】本考案が適用された替刃式農工具を示す斜視図である。
【図２】替刃式農耕具を示す分解斜視図である。
【図３】替刃取付部材を上方から見た斜視図である。
【図４】替刃取付部材を下方から見た斜視図である。
【図５】替刃取付部材と替刃との他の取付態様を示す図である。
【図６】替刃取付部材と替刃とのさらに他の取付態様を示す図である。
【図７】替刃の他の態様を示す図である。
【図８】図７のＡ−Ａ線断面図である。
【図９】図７実施例の変形例を示す図である。
【図１０】図９のＢ−Ｂ線断面図である。
【符号の説明】
【００３６】
１０…替刃式農耕具
１２…柄
１４…替刃取付部材
１６…替刃
１８…替刃取付部
２０…柄取付部
２２…嵌合突起
２４…ボルト
２６…螺子孔
２８…孔
３０…孔
３２…ワッシャ
【図１】
0003127320.tif 000003
【図２】
0003127320.tif 000004
【図３】
0003127320.tif 000005
【図４】
0003127320.tif 000006
【図５】
0003127320.tif 000007
【図６】
0003127320.tif 000008
【図７】
0003127320.tif 000009
【図８】
0003127320.tif 000010
【図９】
0003127320.tif 000011
【図１０】
0003127320.tif 000012